【手続補正書】
【提出日】平成20年3月24日(2008.3.24)
【手続補正１】
【補正対象書類名】特許請求の範囲
【補正対象項目名】全文
【補正方法】変更
【補正の内容】
【特許請求の範囲】
【請求項１】
第１ビデオピクチャ、第２ビデオピクチャと前記第２ビデオピクチャの為の順序値、ビデオピクチャのシーケンスにおいて前記第１ビデオピクチャを参照して前記第２ビデオピクチャの位置の前記順序値の表示を受信するステップと、
前記順序値を用いて前記第２ビデオピクチャを復号化するステップと
から構成される方法。
【請求項２】
前記順序値は時間値を表すことを特徴とする請求項１に記載の方法。
【請求項３】
前記順序値は前記時間値を表さないことを特徴とする請求項１に記載の方法。
【請求項４】
ビデオピクチャの前記シーケンスは、前記ビデオピクチャを復号化するためのシーケンスであることとする請求項１に記載の方法。
【請求項５】
前記第２ビデオピクチャを復号化するステップは、もう一つのビデオピクチャの動きベクトルに基づく前記第２ビデオピクチャのための動きベクトルを計算するための前記順序値を利用するステップを有することを特徴とする請求項１に記載の方法。
【請求項６】
前記もうひとつのピクチャは、第３ビデオピクチャであることを特徴とする請求項５に記載の方法。
【請求項７】
前記動きベクトルを計算する工程は、前記もうひとつのビデオピクチャの前記動きベクトルに基づく内挿演算を実行するステップを有することを特徴とする請求項５に記載の方法。
【請求項８】
前記動きベクトルを計算する工程は、前記もうひとつのビデオピクチャの前記動きベクトルに基づく外挿演算を実行するステップを有することを特徴とする請求項５に記載の方法。
【請求項９】
前記順序値が圧縮された順序値であることを特徴とする請求項１に記載の方法。
【請求項１０】
前記順序値は、前記第２ビデオピクチャと前記第１ビデオピクチャとの間の順序差値の代表であることを特徴とする請求項１に記載の方法。
【請求項１１】
前記順序値は、前記第２ビデオピクチャにおいて２回以上保存されることをとする請求項１に記載の方法。
【請求項１２】
順序値の前記シーケンスが一様でない順序値のシーケンスを受信するステップをさらに有する請求項１に記載の方法
【請求項１３】
第１ビデオピクチャ、第２ビデオピクチャと前記第２ビデオピクチャの為の順序値、ビデオピクチャのシーケンスにおいて前記第１ビデオピクチャを参照して前記第２ビデオピクチャの位置の前記順序値の表示を受信するステップと、
前記順序値を用いて前記第２ビデオピクチャを表示するステップと、
から構成される方法。
【請求項１４】
前記順序値はもう一つのビデオピクチャの動きベクトルに基づいて第２ビデオピクチャのための動きベクトルを計算するためのものであることを特徴とする請求項１３に記載の方法。
【請求項１５】
第１のビデオピクチャを受信するステップと、
前記第１のビデオピクチャと第２のビデオピクチャに関する順序値を受信するステップと、
前記順序値を利用して前記第１のビデオピクチャについての第１の動きベクトルを計算するステップと、
から構成されることを特徴とする方法。
【請求項１６】
前記第２ビデオピクチャは、前記第１ビデオピクチャの復号化の前に復号化するためのものであることを特徴とする請求項１５に記載の方法。
【請求項１７】
前記順序値は、圧縮された値であることを特徴とする請求項１５に記載の方法。
【請求項１８】
前記圧縮された順序値は、可変長符号化処理を用いて復号化されることとする請求項１７に記載の方法。
【請求項１９】
前記圧縮された順序値は、算術符号化処理を用いて復号化されることを特徴とする請求項１７に記載の方法。
【請求項２０】
第１ビデオピクチャ、第２ビデオピクチャおよび第３ビデオピクチャから成るストリームのための方法であって
第１の順序差値および第２の順序差値に基づく特定の値を計算するステップと、
前記特定の値と前記第３ビデオピクチャのための動きベクトルに基づいて前記第２ビデオピクチャの動きベクトルを計算するステップと、
前記第３ビデオピクチャの動きベクトルに基づいて第２ビデオピクチャの動きベクトルを計算するステップと、
から構成され、
前記特定の値を計算するステップにおいて、
(i)前記第１の順序差値は、前記第３ビデオピクチャのための順序値と前記第１ビデオピクチャのための順序値との間の第１順序差値であり、
(ii)前記第２の順序差値は、前記第２ビデオピクチャのための順序値と前記第１ビデオピクチャのための順序値との間の差の代表であり、ある特定のビデオピクチャの順序値はビデオピクチャのシーケンスにおいて前記特定のビデオピクチャの位置の代表であることを特徴とする方法。
【請求項２１】
前記特定のビデオピクチャのための順序値は、ビデオピクチャのシーケンスにおいて前記特定のビデオピクチャを表示する順番を特定することを特徴とする請求項２０記載の方法。
【請求項２２】
第１ビデオピクチャと、
第２ビデオピクチャと、
前記第１ビデオピクチャと第２ビデオピクチャの位置関係を特定する順序値と、
から構成されるビットストリーム。
【請求項２３】
さらに前記第２ビデオピクチャと関係するスライスヘッダを有し、前記スライスヘッダ
は前記順序値を有することを特徴とする請求項２２に記載のビットストリーム。
【請求項２４】
前記順序値は、前記ビットストリームにおいて２回以上保存されることを特徴とする請求項２２に記載のビットストリーム。
【請求項２５】
前記順序値は、前記第２ピクチャのための動きベクトルを計算するためのものであることを特徴とする請求項２２に記載のビットストリーム。
【請求項２６】
前記順序値は、圧縮された順序値であることを特徴とする請求項２２に記載のビットストリーム。
【請求項２７】
前記圧縮された順序値は、可変長符号化処理を用いて前記ビットストリームにおいて圧縮されることを特徴とする請求項２６に記載のビットストリーム。
【請求項２８】
前記圧縮された順序値は、算術符号化処理を用いて前記ビットストリームにおいて圧縮されることを特徴とする請求項２６に記載のビットストリーム。
【請求項２９】
前記順序値は、前記第２ビデオピクチャと前記第１ビデオピクチャとの間の順序差値の代表であることを特徴とする請求項２２に記載のビットストリーム。
【請求項３０】
前記請求項２２乃至２９のいずれかに記載の前記ビットストリームを保存するコンピュータ可読媒体。
【請求項３１】
ビデオピクチャの前記シーケンスは前記ビデオピクチャを表示するためのシーケンスであることを特徴とする請求項１に記載の方法。
【請求項３２】
前記順序値は可変長符号化処理を用いて圧縮されることを特徴とする請求項１記載の方法。
【請求項３３】
前記順序値は算術符号化処理を用いて圧縮されることを特徴とする請求項１記載の方法。
【請求項３４】
前記第２ビデオピクチャのための前記順序値は前記第２ビデオピクチャに関連するスライスヘッダに保存された値から派生することを特徴とする請求項１記載の方法。
【請求項３５】
前記第１ビデオピクチャはＩ-ビデオピクチャであることとする請求項１記載の方法。
【請求項３６】
前記計算された動きベクトルを用いて少なくとも１つのビデオピクチャを符号化するステップを有することを特徴とする請求項２０に記載の方法。
【請求項３７】
少なくとも１つのプロセッサで実行可能なコンピュータプログラムを保存するコンピュータ可読媒体であって、前記コンピュータプログラムは、前記方法を実行するための命令一式を有することを特徴とする前記請求項１乃至３６のいずれかに記載のコンピュータ可読媒体。
【請求項３８】
ステップを実行する手段を備えることを特徴とする前記請求項１乃至３７のいずれかに記載のコンピュータシステム。